(57)【特許請求の範囲】
【請求項１】
パネル(12,14,16,16,18)により画成される機械室(20)に配設したブレーカ(22)に接続される電源ケーブル(26)の支持構造であって、
前記ブレーカ(22)を機械室(20)に配設する取付部材(36)に、板金を折曲形成して剛性を高めた保持体(42)が設けられ、
前記保持体(42)は、前記取付部材(36)の上面に載置されてネジ止めされる第１取付部(42a)と、該第１取付部(42a)の後端縁から直角上方に折曲された立上がり部(42b)と、該立上がり部(42b)の上端縁から第１取付部(42a)とは逆向きに折曲された第２取付部(42c)とを備え、
前記第２取付部(42c)に形成されて一端が開放する切欠部(42d)に対して、前記電源ケーブル(26)を保持するクランプ部材(32)が開放側から挿脱可能に取付けられ、
前記機械室(20)を画成して前記第２取付部(42c)と上下に重なるトップパネル(18)に、前記切欠部(42d)とは逆向きに開放する切欠部(48)が設けられ、前記第２取付部(42c)から上方に延出する前記クランプ部材(32)をトップパネル(18)の切欠部(48)に挿通するよう構成した
ことを特徴とする電源ケーブルの支持構造。
【発明の詳細な説明】
【０００１】
【発明の属する技術分野】
本発明は、機械室にブレーカを配設するための取付部材に、該ブレーカに接続される電源ケーブルを位置決め保持するための保持体を設けるようにした電源ケーブルの支持構造に関するものである。
【０００２】
【従来の技術】
冷蔵庫や冷凍庫、あるいは熱風式保管庫等は、図５に示す如く、断熱箱体１０の上部に、フロントパネル１２、リアパネル１４、左右両側のサイドパネル１６,１６(一方のみ図示)およびトップパネル１８を相互に組付けることで、その内部に機械室２０を画成し、この機械室２０に、電気回路や電気部品の保護を目的とするブレーカ２２が取付部材２４を介して配設されている。また、外部電源に接続する電源ケーブル２６が、前記トップパネル１８に穿設した通孔を介して機械室２０内に引入れられ、該ケーブル２６がブレーカ２２の一側部に接続される。そして、このブレーカ２２の他側部から導出する接続ケーブル２８が、機械室２０に配設された電装箱３０に接続され、該電装箱３０に収容されている各種制御部品や電気部品等に、電源ケーブル２６、ブレーカ２２および接続ケーブル２８を介して電気が供給されるよう構成してある。
【０００３】
【発明が解決しようとする課題】
前記トップパネル１８の通孔には、該通孔に挿通される電源ケーブル２６を位置決め保持するためのクランプ部材３２が配設されている。このため、機械室２０内の点検・整備等のメンテナンスに際してトップパネル１８を取外す際には、前記電源ケーブル２６の電源側の接続を外すと共に、前記クランプ部材３２を弛めて該ケーブル２６に負荷が加わらないようにしなければならず、作業が煩雑であった。
【０００４】
また、前記トップパネル１８にはそれ程の強度は要求されておらず、薄い平板から構成されている。このため、前記クランプ部材３２を介して位置決め保持されている電源ケーブル２６に外力が加わると、クランプ部材３２を介してトップパネル１８にも外力が加わって変形するおそれがある。
【０００５】
【発明の目的】
本発明は、前述した従来の技術に内在している前記課題に鑑み、これを好適に解決するべく提案されたものであって、メンテナンスが容易で、しかも電源ケーブルに負荷が加わった際にパネルが変形するのを防止し得る電源ケーブルの支持構造を提供することを目的とする。
【０００６】
【課題を解決するための手段】
前記課題を克服し、所期の目的を達成するため、本発明に係る電源ケーブルの支持構造は、
パネルにより画成される機械室に配設したブレーカに接続される電源ケーブルの支持構造であって、
前記ブレーカを機械室に配設する取付部材に、板金を折曲形成して剛性を高めた保持体が設けられ、
前記保持体は、前記取付部材の上面に載置されてネジ止めされる第１取付部と、該第１取付部の後端縁から直角上方に折曲された立上がり部と、該立上がり部の上端縁から第１取付部とは逆向きに折曲された第２取付部とを備え、
前記第２取付部に形成されて一端が開放する切欠部に対して、前記電源ケーブルを保持するクランプ部材が開放側から挿脱可能に取付けられ、
前記機械室を画成して前記第２取付部と上下に重なるトップパネルに、前記切欠部とは逆向きに開放する切欠部が設けられ、前記第２取付部から上方に延出する前記クランプ部材をトップパネルの切欠部に挿通するよう構成したことを特徴とする。
【０００７】
【発明の実施の形態】
次に、本発明に係る電源ケーブルの支持構造につき、好適な実施例を挙げて、添付図面を参照しながら以下詳細に説明する。なお、図５を参照して従来の技術で説明した機械室に関連する同一部材には、同じ符号を付すものとする。
【０００８】
図１および図２は、ブレーカを機械室に配設するための取付部材を示し、図３および図４は、機械室を示す。図に示すように、冷蔵庫や冷凍庫あるいは熱風式保管庫等における断熱構造の箱状本体３４の上部には、フロントパネル１２、リアパネル１４、左右両側のサイドパネル１６,１６およびトップパネル１８が相互に組付けられて、その内部に機械室２０が画成される。この機械室２０には、複数の制御部品や電気部品等を収容した電装箱３０が配設されると共に、各制御部品や電気部品等の保護を目的とするブレーカ２２が、取付部材３６を介して配設されている。
【０００９】
前記取付部材３６は、図１および図２に示す如く、下側および後側に開放する本体３８を備え、該本体３８の内部にブレーカ２２が配設された状態で、本体３８が前記箱状本体３４の上面に着脱可能に配設される。また取付部材３６には、本体３８の前側に突出するブレーカ２２を囲繞するカバー体４０が、本体３８の前側に着脱可能に配設されている。更に、本体３８の上面後部には、板金を図示形状に折曲形成した保持体４２が着脱可能に配設され、この保持体４２に電源ケーブル２６が位置決め保持されるよう構成される。
【００１０】
前記保持体４２は、前記本体３８の上面に載置される第１取付部４２ａと、該第１取付部４２ａの後端縁から直角上方に折曲された立上がり部４２ｂと、この立上がり部４２ｂの上端縁から第１取付部４２ａとは逆向きに直角に折曲された第２取付部４２ｃとから基本的に構成され、前記第１取付部４２ａが、本体３８の上面にネジ止めされるようになっている。また第２取付部４２ｃには、左右方向に所定長さで延在して一端(図１での右側)が開放する切欠部４２ｄが形成され、この切欠部４２ｄには、その開放側からクランプ部材３２が挿脱可能に取付けられるよう構成される。
【００１１】
前記クランプ部材３２は、外部電源に接続する前記電源ケーブル２６が挿通される中心通孔４４ａが形成されたスリーブ４４に、ナット部材４６が外嵌されており、前記保持体４２の切欠部４２ｄにスリーブ４４を挿通した状態で、該ナット部材４６を締付けることで当該クランプ部材３２は保持体４２に位置決め固定されるようになっている。そして、このクランプ部材３２のスリーブ４４に挿通された電源ケーブル２６の下側の端部は、前記本体３８の後部開口から内部に導入されて前記ブレーカ２２の後部に接続される。またブレーカ２２の後部に接続された接続ケーブル２８は、図２に示す如く、本体３８の後部開口から後方に引出され、その端部が前記電装箱３０に接続されるよう構成してある。
【００１２】
前記機械室２０を画成する前記トップパネル１８の一方の側端部、すなわち図４における左側端部に、左側端縁に開放する切欠部４８が左右方向に所定長さで延在するよう形成される。この切欠部４８は、前記機械室２０に配設された取付部材３６に保持体４２を配設した状態で、該保持体４２に形成される切欠部４２ｄとは反対向きに開放するよう設定されている。そして、前記各パネル１２,１４,１６,１６にトップパネル１８を組付けた際に、保持体４２の切欠部４２ｄから上方に延出するクランプ部材３２のスリーブ４４が、トップパネル１８の切欠部４８に挿通されるよう設定される。すなわち、保持体４２の第２取付部４２ｃとトップパネル１８とを上下に重ねた際に、前記両切欠部４２ｄ,４８は閉塞側がスリーブ４４の直径だけ離間して対向し、これによりクランプ部材３２の平面内での移動が規制されるよう構成されている。
【００１３】
【実施例の作用】
次に、実施例に係る電源ケーブルの支持構造の作用について説明する。前記取付部材３６を介して機械室２０に配設されたブレーカ２２では、その後部に接続されて前記本体３８の後部開口から後方に引出された接続ケーブル２８が、前記電装箱３０に接続される。また、取付部材３６に配設された保持体４２に取付けられたクランプ部材３２のスリーブ４４に、上方から挿通された電源ケーブル２６の端部が、前記本体３８の後部開口から内部に引込まれてブレーカ２２の後部に接続される。すなわち、電源ケーブル２６および接続ケーブル２８は、何れもブレーカ２２の後部に接続するよう構成したから、取付部材３６に対して正面から視て左右方向にケーブル２６,２８が突出することはなく、コンパクトに纏めることができる。
【００１４】
前記保持体４２の切欠部４２ｄは、取付部材３６を機械室２０に配設した状態で、図４において右方向に開放している。これに対して機械室２０を画成する前記トップパネル１８の左側端部には、左方向に開放する切欠部４８が形成されており、この切欠部４８に、保持体４２から上方に延出するクランプ部材３２が挿通されるようにしてトップパネル１８を各パネル１２,１４,１６,１６に組付ける。これにより、クランプ部材３２は、上下位置において切欠部４２ｄ,４８に挿通されて、平面上での移動が規制された状態で位置決めされる。従って、電源ケーブル２６に負荷が加わっても、クランプ部材３２が保持体４２の切欠部４２ｄから脱落するのは防止される。しかも、トップパネル１８には電源ケーブル２６やクランプ部材３２は固定されていないから、機械室２０内のメンテナンスに際して該パネル１８を取外す際に、クランプ部材３２を保持体４２から取外す必要はなく、作業が極めて簡単となる。
【００１５】
また、前記クランプ部材３２は、板金を折曲形成して剛性を高めた保持体４２に配設されるから、前記電源ケーブル２６に負荷が加わった際に、該保持体４２が容易に変形することはない。しかも、保持体４２の切欠部４２ｄは一端が開放しているから、保持体４２に対するクランプ部材３２の着脱は容易となる。
【００１６】
実施例では、機械室を構成するフロントパネル、リアパネルおよびサイドパネルを別体で構成した場合で説明したが、これらのパネルは一体物であってもよい。また保持体やトップパネルに形成した切欠部の開放方向は、実施例では正面から視て左右方向の何れか一方が開放する場合で説明したが、ブレーカの取付け位置等によっては、前記切欠部の前後方向の何れか一端が開放するよう構成されるものであってもよい。
【００１７】
【発明の効果】
以上説明したように、本発明に係る電源ケーブルの支持構造によれば、ブレーカを機械室に配設する取付部材に、電源ケーブルのクランプ部材を取付ける保持体を設けたから、電源ケーブルに負荷が加わった際に、従来のように機械室を画成するパネルに負荷が加わって変形することはない。また、取付部材や保持体は、パネルに比べて強度は高く、クランプ部材の取付け部位が変形するのも抑制される。殊に、保持体は、板金を折曲形成して剛性を高めたものであるので、電源ケーブルに負荷が加わった際に、保持体が容易に変形することはない。
【００１８】
前記保持体に対してクランプ部材を、一端が開放する切欠部を介して取付けるよう構成したから、該クランプ部材の取付けや取外しが容易となる。また、保持体の切欠部とは逆向きに開放するようトップパネルに形成した切欠部に、保持体から上方に延出するクランプ部材を挿通するよう構成したから、電源ケーブルに負荷が加わった際にクランプ部材が保持体から脱落するのは防止される。しかも、トップパネルを単独で取外すことができ、機械室内のメンテナンスに際しての作業が極めて簡単となる。
【図面の簡単な説明】
【図１】  本発明の実施例に係る電源ケーブルの支持構造を正面側から示す概略斜視図である。
【図２】  実施例に係る電源ケーブルの支持構造を背面側から示す概略斜視図である。
【図３】  実施例に係る支持構造が採用される箱状本体の上部にパネルを組付けた状態で示す要部概略斜視図である。
【図４】  実施例に係る支持構造が採用される箱状本体の上部からトップパネルおよびフロントパネルを取外した状態で示す要部概略斜視図である。
【図５】  従来の技術に係る電源ケーブルの支持構造が採用される断熱箱体の上部からトップパネルおよびフロントパネルを取外した状態で示す要部概略斜視図である。
【符号の説明】
１２ フロントパネル，１４ リアパネル，１６ サイドパネル
１８ トップパネル，２０ 機械室，２２ ブレーカ，３２ クランプ部材
３６ 取付部材，４２ 保持体，４２ａ 第１取付部，４２ｂ 立上がり部
４２ｃ 第２取付部，４２ｄ 切欠部，４８ 切欠部
【図１】
0004011939.tif 000002
【図２】
0004011939.tif 000003
【図３】
0004011939.tif 000004
【図４】
0004011939.tif 000005
【図５】
0004011939.tif 000006